(57)【要約】【課題】強度や耐久性に優れ、運搬・設置・撤去の作業が容易であり、かつ、コンパクトに収納されて保管スペースを節約することが可能な間仕切りを提供する。【解決手段】間仕切り１ａは底板５及び天板６と支持体７とからなる本体２の内部に収納されたシート材３を引き出して枠体４に固定するものであり、４組の枠体４は、底板５の側面から水平方向へ設けられた一対の梁体８，８と、天板６の側面から水平方向へ設けられた梁体９と、梁体８，８と梁体９とを連結する一対の柱体１０，１０とからそれぞれ構成され、シート材３は底板５と天板６に両端を軸支された芯材１３に巻き取られる構造となっている。【選択図】図１
2008169652.tif 000002
【特許請求の範囲】
【請求項１】
床面に設置される底板と、この底板に立設される支持体と、この支持体の上端に取り付けられる天板と、この天板と前記底板に両端が回転自在に軸支される芯材と、この芯材の側面に基端が固着されて巻回されるシート材と、前記底板から水平方向へ設けられる第一の梁体と、前記天板から水平方向へ設けられる第二の梁体と、この第二の梁体と前記第一の梁体を連結する柱体とを備え、前記芯材から引き出された前記シート材の先端部は、取付具を介して、前記第一の梁体、前記第二の梁体又は前記柱体の少なくとも１つに係着されることを特徴とする間仕切り。
【請求項２】
前記第一の梁体は、一端部を前記底板に回動自在に軸具を介して設けられ、この第一の梁体の他端部に前記柱体の一端部が回動自在に軸具を介して設けられ、この柱体の他端部に前記第二の梁体の一端部が回動自在に軸具を介して設けられ、この第二の梁体の他端部は、受具を介して前記天板に係着されることを特徴とする請求項１記載の間仕切り。
【請求項３】
前記第二の梁体は、一端部を前記天板に回動自在に軸具を介して設けられ、この第二の梁体の他端部に前記柱体の一端部が回動自在に軸具を介して設けられ、この柱体の他端部に前記第一の梁体の一端部が回動自在に軸具を介して設けられ、この第一の梁体の他端部は、受具を介して前記底板に係着されることを特徴とする請求項１記載の間仕切り。
【請求項４】
前記第一の梁体は、一端部を前記底板に回動自在に軸具を介して設けられ、前記第二の梁体は、一端部を前記天板に回動自在に軸具を介して設けられ、前記柱体の一端部は、前記第一の梁体又は第二の梁体の他端部に回動自在に軸具を介して設けられ、前記柱体の他端部は、前記第一の梁体又は前記第二の梁体のいずれかであって前記軸具が取り付けられていない方の端部に、受具を介して係着されることを特徴とする請求項１記載の間仕切り。
【請求項５】
前記第一の梁体又は前記第二の梁体の少なくともいずれか一方は、端部から突出可能に棒状の差込具を内蔵し、この差込具は前記端部から突出して前記天板又は前記底板の少なくともいずれか一方に設けられた筒状のガイド部材に内挿することを特徴とする請求項１記載の間仕切り。
【請求項６】
端部から突出可能に前記柱体に内蔵される連結具と、前記第一の梁体又は前記第二の梁体の少なくともいずれか一方の端部に取り付けられるとともに貫通孔が設けられた連結板とを備え、前記連結具は前記端部から突出して前記連結板の前記貫通孔に挿通することを特徴とする請求項１記載の間仕切り。
【請求項７】
前記芯材に複数の前記シート材が巻回され、前記第一の梁体及び前記第二の梁体及び前記柱体は、これらのシート材と同数設けられることを特徴とする請求項１乃至請求項６のいずれか１項に記載の間仕切り。
【請求項８】
複数の前記シート材の基端は略等間隔に前記芯材の側面にそれぞれ固着されることを特徴とする請求項７記載の間仕切り。
【発明の詳細な説明】
【技術分野】
【０００１】
本発明は、災害時の避難場所等において他人の視線を遮ることを目的として床面に設置される簡易的な間仕切りに係り、特に、保管時に広いスペースを必要とせず、また、設置作業や撤去作業に手間のかからない間仕切りに関する。
【背景技術】
【０００２】
震災等の災害が発生した場合、体育館などに避難した住民は集団生活を余儀なくされる。その際、各人のプライバシーを保護するために、簡易的な間仕切りが設置されることが多い。しかしながら、従来の間仕切りは嵩張って収納や運搬に不便であり、また、構造が複雑で組み立てに時間を要するという課題があった。そこで、このような課題に対処するべく、様々な技術が開発されており、それに関して既にいくつかの発明や考案が開示されている。
【０００３】
例えば、特許文献１には、「段ボールを利用した間仕切り構造」という名称で、隣接させて配置した複数の段ボールを間仕切り板として利用した構造に関する発明が開示されている。
特許文献１に開示された発明は、段ボールからなる間仕切り板の繋ぎ目の上下部及びコーナー部を連結段ボールによってそれぞれ固定する構造となっている。
このような段ボールを利用した間仕切り構造においては、コストの低減と重量の軽減を図ることができる。また、保管時には連結段ボールを平板状にすることで保管に要するスペースを節約することができる。
【０００４】
また、特許文献２には、「簡易間仕切り構造」という名称で、強度や耐久性に優れた構造の簡易間仕切りに関する発明が開示されている。
特許文献２に開示された発明は、複数の壁パネルの上縁及び下縁に嵌合される連結金具相互を上下方向に締結ベルトで締結するとともに、上縁の連結金具相互を補助金具で繋いだ構造としたことを特徴としている。
このような構造の簡易間仕切りにおいては、隣接する壁パネル同士の連結強度が向上するため、区画領域の周囲の壁の変形や傾きを防止することが可能である。
【０００５】
さらに、特許文献３には、「衝立式スクリーン」という名称で、不要時にはコンパクトに収納できるとともに、必要時には簡単に組み立てて視線を遮蔽することができ、かつ、移動も容易な衝立式スクリーンに関する発明が開示されている。
特許文献３に開示された発明は、スクリーンを収納するための収納空所と脚部を有するスタンドベースと、横倒させて収納空所に収納できるようにスタンドベースの両端に枢着された一対のスタンドアームと、起立姿勢の一対のスタンドアームに係脱可能に架設される桁部材と、この桁部材に上端が連結されるとともに、収容空所に内蔵された巻取パイプに下端が巻回連結されたスクリーン生布とを備えるものである。
このような構造の衝立式スクリーンにおいては、非使用時にスタンドアームと桁部材とスクリーン生布をスタンドアーム内に収納することができるため、保管スペースを節約することができる。また、梱包や輸送を容易かつ安価に行うことが可能である。さらに、機構が簡単であるため、製作が容易である。従って、製造コストを安くすることができる。
【０００６】
【特許文献１】特開２００３−１２９５９３号公報
【特許文献２】特開２００６−２１４２７１号公報
【特許文献３】特開平８−８４６４５号公報
【発明の開示】
【発明が解決しようとする課題】
【０００７】
上述の従来技術である特許文献１に開示された発明においては、段ボールを利用しているため、材料コストの削減と本体の軽量化が可能であるものの、強度や耐久性が十分ではないという課題があった。また、間仕切り板として平板状の段ボールを使用していることから、収納時には嵩張ってしまい、広い保管スペースが必要になるという課題があった。
【０００８】
また、上述の従来技術である特許文献２に開示された発明においては、壁パネルや連結金具を個々に分離して保管する必要があるため、各部材が紛失したり、破損したりするおそれがあった。また、連結金具を嵌合する壁パネルは木製や段ボール製であり、折り畳んで収納することができないため、保管する際に嵩張ってしまうという課題があった。  
【０００９】
上述の従来技術である特許文献３に開示された発明においては、一つの部屋を仕切って二つの空間を形成する衝立としての機能は有しているものの、三つ以上に仕切ることができない。従って、例えば、体育館などの広い空間を仕切って同時に多数の空間を形成する場合には、仕切りの数だけ「衝立式スクリーン」が必要となるため、運搬作業や設置作業が煩雑になる上、非使用時に広い保管スペースを必要とするという課題があった。
【００１０】
本発明はかかる従来の事情に対処してなされたものであり、強度や耐久性に優れ、運搬・設置・撤去の作業が容易であり、かつ、コンパクトに収納されて保管スペースを節約することが可能な間仕切りを提供することを目的とする。
【課題を解決するための手段】
【００１１】
上記目的を達成するため、請求項１記載の発明である間仕切りは、床面に設置される底板と、この底板に立設される支持体と、この支持体の上端に取り付けられる天板と、この天板と底板に両端が回転自在に軸支される芯材と、この芯材の側面に基端が固着されて巻回されるシート材と、底板から水平方向へ設けられる第一の梁体と、天板から水平方向へ設けられる第二の梁体と、この第二の梁体と第一の梁体を連結する柱体とを備え、芯材から引き出されたシート材の先端部は、取付具を介して、第一の梁体、第二の梁体又は柱体の少なくとも１つに係着されることを特徴とするものである。
このような構造の間仕切りにおいては、支持体、第一の梁体、柱体及び第二の梁体によって四角形の各辺が構成されるという作用を有する。また、四角形の三辺を構成する第一の梁体、第二の梁体又は柱体の少なくとも１つに先端が係着されたシート材によって他人の視線が遮られるとともに、各個人に専用の空間が形成されるという作用を有する。さらに、シート材は芯材の側面に巻き取られて収納されるという作用を有する。
【００１２】
また、請求項２記載の発明は、請求項１記載の間仕切りにおいて、第一の梁体は、一端部を底板に回動自在に軸具を介して設けられ、この第一の梁体の他端部に柱体の一端部が回動自在に軸具を介して設けられ、この柱体の他端部に第二の梁体の一端部が回動自在に軸具を介して設けられ、この第二の梁体の他端部は、受具を介して天板に係着されることを特徴とするものである。
このような構造の間仕切りにおいては、それぞれ所望の角度回動された第一の梁体、柱体及び第二の梁体が支持体と略平行な同一平面を形成するという作用を有する。また、このとき、第一の梁体、柱体及び第二の梁体は芯材に巻き取られた状態のシート材の周囲を覆って外部の衝撃等から保護するという作用を有する。
【００１３】
請求項３記載の発明は、請求項１記載の間仕切りにおいて、第二の梁体は、一端部を天板に回動自在に軸具を介して設けられ、この第二の梁体の他端部に柱体の一端部が回動自在に軸具を介して設けられ、この柱体の他端部に第一の梁体の一端部が回動自在に軸具を介して設けられ、この第一の梁体の他端部は、受具を介して底板に係着されることを特徴とするものである。
このような構造の間仕切りにおいては、第一の梁体、柱体及び第二の梁体は支持体と略平行な同一平面を形成するように回動されるという作用を有する。また、第一の梁体は間仕切りの使用時に床面に載置されるため、底板に受具で係着されなくとも、自重で回動するおそれはない。
【００１４】
請求項４記載の発明は、請求項１記載の間仕切りにおいて、第一の梁体は、一端部を底板に回動自在に軸具を介して設けられ、第二の梁体は、一端部を天板に回動自在に軸具を介して設けられ、柱体の一端部は、第一の梁体又は第二の梁体の他端部に回動自在に軸具を介して設けられ、柱体の他端部は、第一の梁体又は第二の梁体のいずれかであって軸具が取り付けられていない方の端部に、受具を介して係着されることを特徴とするものである。
このような構造の間仕切りにおいては、第一の梁体、柱体及び第二の梁体は支持体と略平行な同一平面を形成するように回動されるという作用を有する。また、底板及び天板に受具が設置されないため、底板の下面やその近傍及び天板の上面やその近傍がシンプルな構造となる。
【００１５】
請求項５記載の発明は、請求項１記載の間仕切りにおいて、第一の梁体又は第二の梁体の少なくともいずれか一方は、端部から突出可能に棒状の差込具を内蔵し、この差込具は端部から突出して天板又は底板の少なくともいずれか一方に設けられた筒状のガイド部材に内挿することを特徴とするものである。
このような構造の間仕切りにおいては、ガイド部材に内挿した差込具が第一の梁体と底板又は第二の梁体と天板との間の組み付け誤差に起因するガタツキを小さくするとともに、これら各部材間の剛性を高めるように作用する。
【００１６】
請求項６記載の発明は、請求項１記載の間仕切りにおいて、端部から突出可能に柱体に内蔵される連結具と、第一の梁体又は第二の梁体の少なくともいずれか一方の端部に取り付けられるとともに貫通孔が設けられた連結板とを備え、連結具は端部から突出して連結板の貫通孔に挿通することを特徴とするものである。
このような構造の間仕切りにおいては、連結板の貫通孔に挿通した連結具が第一の梁体又は第二の梁体と柱体とを連結するように作用する。
【００１７】
請求項７記載の発明は、請求項１乃至請求項６のいずれか１項に記載の間仕切りにおいて、芯材に複数のシート材が巻回され、第一の梁体及び第二の梁体及び柱体は、これらのシート材と同数設けられることを特徴とするものである。
このような構造の間仕切りにおいては、複数のシート材によって一つの空間が同時に複数の空間に仕切られるという作用を有する。
【００１８】
請求項８記載の発明は、請求項７記載の間仕切りにおいて、複数のシート材の基端は略等間隔に芯材の側面にそれぞれ固着されることを特徴とするものである。
このような構造の間仕切りによれば、シート材を芯材から引き出す際に、芯材に巻かれた状態で残っているシート材の長さが全て等しくなる。この場合、全てのシート材が同時に完全に引き出されることになる。
【発明の効果】
【００１９】
以上説明したように、本発明の請求項１記載の間仕切りにおいては、シート材を設置する場合、芯材から引き出して第一の梁体等に係止するだけで良く、また、シート材を撤去する場合、第一の梁体等に係止された先端部分を外して芯材に巻き取るだけで良い。すなわち、シート材の設置作業や撤去作業を容易に行うことができる。さらに、芯材に巻き取られて収納されるシート材は嵩張らないため、運搬が容易である。
【００２０】
本発明の請求項２記載の発明においては、第一の梁体、第二の梁体及び柱体を回動させるだけで、シート材を係着するための四角形が形成されるため、設置作業が容易である。さらに、第一の梁体、第二の梁体及び柱体によって同一平面が形成されるように折り畳むことによれば、これらを簡単に収納することができる。従って、撤去作業が容易である。また、このような収納方法によれば、嵩が少なくなるため、運搬作業が容易になるとともに、保管スペースも節約される。加えて、保管時のシート材の破損を防いで耐久性を高めることが可能である。
【００２１】
本発明の請求項３記載の発明においては、第一の梁体を底板に対して強く係着する必要がないため、受具を簡単な構造とすることができる。これにより、製造コストの削減を図ることが可能である。
【００２２】
本発明の請求項４記載の発明においては、底板の下面及び天板の上面を略平坦に形成して、保管時に他の間仕切りとの干渉を防ぐことが可能である。これにより、保管スペースを節約することができる。
【００２３】
本発明の請求項５記載の発明においては、第一の梁体と底板又は第二の梁体と天板の間のガタツキを抑えて間仕切りの設置姿勢を安定させることができる。また、各部材間の剛性が高まるため、部材同士が不用意に外れるおそれがない。従って、使用時の安全性が高まる。
【００２４】
本発明の請求項６記載の発明においては、第一の梁体又は第二の梁体と柱体との連結作業及び分解作業が容易である。これにより、間仕切りの設置作業及び撤去作業が容易となる。
【００２５】
本発明の請求項７記載の発明においては、一つの間仕切りによって複数の空間を同時に形成することができる。これにより、運搬、設置、撤去に要する労力が低減される。また、保管に必要なスペースを節約することが可能である。
【００２６】
本発明の請求項８記載の発明においては、シート材を柱体等に係着する際に、各シート材に略均一にテンションをかけることができる。これにより、シート材を設置する際の作業性が向上する。
【発明を実施するための最良の形態】
【００２７】
本発明の最良の実施の形態に係る間仕切りの実施例について図１乃至図９を用いて説明する。
【実施例１】
【００２８】
実施例１の間仕切りについて図１乃至図５を用いて説明する（特に、請求項１乃至請求項３及び請求項７及び請求項８に対応）。
図１は本発明の実施の形態に係る間仕切り１ａの実施例１の一部を省略して示す外観斜視図であり、図２（ａ）及び（ｂ）はシート材３が芯材１３から完全に引き出された状態及びシート材３が芯材１３に巻き付けられた状態をそれぞれ示す模式図である。また、図３（ａ）及び（ｂ）はそれぞれ固定具１４及び受具１２の斜視図である。なお、図１の受具１２は細部が省略されているが、図３（ｂ）の受具１２と同じ構造をしている。また、図１には示していないが、取付具１５ａ，１５ｂは、４枚のシート材３の全てに取り付けられており、固定具１４は４対の梁体８，８の全てに取り付けられている。
図１に示すように、間仕切り１ａは木製の本体２の内部に収納されるポリエステル製のシート材３と、本体２に接続された枠体４とから構成されており、使用時にシート材３を引き出して枠体４に固定するものである。本体２は外形が等しい矩形状の底板５及び天板６と、角柱状の支持体７とからなる。支持体７は床面に設置された底板５の上面に立設されており、支持体７の上端には底板５に対して平行に天板６が取り付けられている。
枠体４は底板５の側面から水平方向へ設けられた一対の梁体８，８と、天板６の側面から水平方向へ設けられた梁体９と、梁体８，８と梁体９とを連結する一対の柱体１０，１０とから構成されており、枠体４は本体２の４つの側面にそれぞれ設置されている。また、梁体８，８の一端は蝶番などの軸具１１，１１によって底板５に取り付けられており、梁体８，８の他端は軸具（図示せず）を介して柱体１０，１０の一端に取り付けられている。柱体１０，１０の他端には軸具（図示せず）を介して梁体９の一端が取り付けられており、梁体９の他端は受具１２を介して天板６に係着されている。
また、シート材３の先端部の近傍には面ファスナーなどからなる２つの取付具１５ａ，１５ｂがシート材３の引き出し方向に沿って所定の間隔をあけて取り付けられている。さらに、底板５及び天板６には円柱状の芯材１３が円柱軸（図示せず）を中心として回転可能に両端を軸支されており、芯材１３は支持体７に対して平行となっている。
図２（ａ）に示すように、芯材１３の側面には４枚のシート材３の各基端３ａが略等間隔にそれぞれ固着されている。従って、シート材３を芯材１３から引き出す途中段階において、４枚のシート材３が常に同じ長さずつ芯材１３に巻かれた状態で残るとともに、芯材１３から４枚のシート材３を引き出す作業は略同一のタイミングで完了することになる。なお、間仕切り１ａを使用しない場合には、図２（ｂ）に示すように、シート材３は芯材１３の側面に４枚重ねた状態で巻回されて収納されるため、嵩張ることがない。
このような構造によれば、梁体８,８と柱体１０，１０と梁体９と支持体７が四角形の各辺を構成し、シート材３は梁体８，８及び梁体９に沿って芯材１３から引き出された後、先端部が矢印Ａで示すように柱体１０に巻き付けられ、取付具１５ａ，１５ｂによって柱体１０に係着される。このとき、シート材３は上記四角形の内側の領域を遮蔽する。なお、図示していないが、４枚のシート材３の先端部はそれぞれ袋状になっており、シート材３の幅と略等しい長さのアクリル板（厚さ３ｍｍ、幅２５ｍｍ）が内蔵されている。このアクリル板はシート材３の先端部の剛性を高めて、柱体１０への巻き付けを容易にするという作用を有する。また、シート材３は各人が他人の視線を気にせずに快適に過ごすことのできる専用の空間を形成するという作用を有する。さらに、４枚のシート材３を４組の枠体４に対してそれぞれ係着することにより、一つの空間が同時に４つに仕切られるという作用を有する。加えて、芯材１３を回転させることによれば、４枚のシート材３は同じ長さずつ略均等に送出され、あるいは巻回される。
【００２９】
梁体８，８には、図３（ａ）に示す固定具１４が取り付けられている。これにより、梁体８，８は一体的に連結され、底板５に対するガタツキが抑えられる。従って、間仕切り１ａの設置状態が安定する。なお、底板５に対して梁体８が精度よく組み付けられている場合、固定具１４は省略することもできる。
図３（ｂ）に示すように、受具１２は天板６の上面に設置された受具本体１２ａと、アーム１２ｂと、梁体９の上面に設置されたフック１２ｃとから構成されている。アーム１２ｂの両端は受具本体１２ａの側面に回転自在に取り付けられており、矢印Ｂと矢印Ｃの向きに所定の距離だけ移動可能となっている。受具本体１２ａとアーム１２ｂはループ状部分を形成しており、アーム１２ｂを矢印Ｂの向きに所定の距離移動させてループ状部分を広げた後、アーム１２ｂをフック１２ｃに係止する構造となっている。また、アーム１２ｂには受具本体１２ａに内蔵された弾性部材（図示せず）によって矢印Ｃの向きに引っ張り力が付勢されている。従って、アーム１２ｂはフック１２ｃから不用意に外れるおそれがない。
なお、受具１２は図３（ｂ）に示した構造に限定されるものではなく、適宜変更可能である。また、受具１２の取り付けも図３（ｂ）に示す場合に限らず、変更可能である。例えば、フック１２ｃを天板６の上面に設置するとともに、受具本体１２ａを梁体９の上面に設置した構造としても良い。
【００３０】
次に、間仕切り１ａの撤去作業について図４及び図５を用いて説明する。
図４は図１においてシート材３を芯材１３に巻き取った状態を示す外観斜視図である。また、図５は図４において枠体４を折り畳んで収納した状態を示す外観斜視図である。なお、図１に示した構成要素については、同一の符号を付してその説明を省略する。また、図４及び図５では図３（ｂ）に示した受具１２について、その細部を省略して図示している。
図１で既に述べたように、芯材１３を円柱軸（図示せず）を中心として回転させると、４枚のシート材３は芯材１３に略均等に巻き取られる。そして、最終的に図４に示す状態となる。次に、受具１２を操作して梁体９の天板６への係止を解除するとともに、梁体９を矢印Ｄの向きに略９０度回動させる。さらに、固定具１４を梁体８，８から外した後、梁体９及び柱体１０，１０を一体として矢印Ｅの向きに略９０度回動させる。最後に、梁体８，８と柱体１０，１０と梁体９，９を一体として矢印Ｆの向きに略９０度回動させる。そして、この作業を４組の枠体４について行うと、図５に示した状態となる。すなわち、芯材１３に巻き取られて本体２内部に収納されたシート材３は、その周囲を梁体８，８と柱体１０，１０と梁体９とからなる４組の枠体４によって覆われることになる。従って、シート材３は４組の枠体４によって外部の衝撃等から保護される。これにより、保管時や運搬時におけるシート材３の破損が防止され、間仕切り１ａの耐久性が高められる。なお、図５の状態では、枠体４が勝手に矢印Ｆと逆向きに回動するおそれがあるため、保管や運搬をする際には、ベルトや紐等を用いて４組の枠体４を外側から縛り付けて拘束することが望ましい。
【００３１】
以上説明したように、本実施例の間仕切り１ａは、本体２の側面に折り畳まれた枠体４を回動させて展開し、芯材１３から引き出したシート材３をこの枠体４にそれぞれ係着することにより、簡単に設置することができる。また、シート材３が芯材１３に巻き取られて本体２内に収納されるため、嵩張ることがなく、運搬や保管が容易である。さらに、枠体４を回動させて本体２の側面を覆うように折り畳むことによれば、枠体４の収納を簡単に行うことができる。すなわち、間仕切り１ａは設置作業及び撤去作業が容易である。そして、収納された状態の間仕切り１ａは略直方体形状となるため、運搬し易く、また、限られたスペースに効率良く保管することができる。加えて、間仕切り１ａは４枚のシート材３と４組の枠体４を備えているため、１つの空間を同時に４つに仕切ることが可能である。従って、４つの間仕切りを必要とする場合に比べて、設置や撤去あるいは運搬に要する労力が低減される。また、保管に要するスペースを節約することが可能である。さらに、シート材３の設置作業において、４枚のシート材３それぞれに略均一にテンションをかけて芯材１３から引き出すことができるため、シート材３を柱体１０に係着する際にシワがより難く、作業性が良い。また、芯材１３の回転により４枚のシート材３が略均等に送出され、又は巻回されるため、シート材３の引き出し作業及び巻き取り作業を容易に行うことができる。
【００３２】
本実施例においては、本体２及び枠体４を木製とし、シート材３をポリエステル製としているが、これに限定されるものではない。すなわち、本体２や枠体４は金属製あるいは合成樹脂製であっても良い。また、シート材３は布状であれば良く、ポリエステルに限らず、他の合成樹脂繊維を用いても良いし、綿や麻などの自然素材であってもよい。さらに、支持体７は角柱に限らず、円柱であっても良く、また、筒状であっても良い。そして、支持体７の個数や設置箇所も本実施例に示す場合に限定されるものではなく、適宜変更可能である。さらに、梁体８，８や柱体１０，１０は必ずしも対でなくとも良い。また、梁体９の一端を軸具１１，１１によって天板６に取り付けるとともに、梁体８，８の他端を受具１２を介して底板５に係着した構造としても良い。この場合、梁体８，８は間仕切り１ａの使用時に床面に載置され、自重によって勝手に回動するおそれがないため、簡単な構造の受具１２を用いることができる。これにより、間仕切り１ａの製造コストの削減を図ることができる。また、取付具１５ａ，１５ｂは面ファスナーに限らず、例えば、スナップフィットやピン状、クリップ状、ボタン状あるいはフック状のものなどでもよく、その形態は限定されない。そして、取付具１５ａ，１５ｂの個数や取り付け位置は図１に示す場合に限定されるものではなく、適宜変更可能である。さらに、４組の枠体４と４枚のシート材３は必ずしも全て展開する必要はなく、適宜必要な数のシート材３を引き出して使用することが望ましい。また、本実施例ではシート材３を柱体１０，１０に係着させる構造となっているが、これに限定されるものではない。すなわち、シート材３を柱体１０，１０や梁体８，８あるいは梁体９の少なくとも１つに係着させた構造としても良い。
【実施例２】
【００３３】
実施例２の間仕切りについて図６乃至図９を用いて説明する（特に、請求項４乃至請求項８に対応）。
図６は本発明の実施の形態に係る間仕切り１ｂの実施例２の一部を省略して示す外観斜視図であり、図７（ａ）及び（ｂ）はそれぞれ梁体９及び差込具１６の斜視図であり、（ｃ）及び（ｄ）は梁体９及びそれに内蔵された差込具１６を示す平面図である。また、図８（ａ）は梁体９との接続端部近傍を拡大して示した柱体１０の斜視図であり、（ｂ）は連結具１８の斜視図であり、（ｃ）は柱体１０及びそれに内蔵された連結具１８を示す平面図である。さらに、図９は図６において枠体４を折り畳んで収納した状態を示す外観斜視図である。なお、図１又は図４に示した構成要素については、同一の符号を付してその説明を省略する。また、本実施例の間仕切りにおいても実施例１と同様に４枚のシート材３を備えているが、図６では１枚のシート材３のみを図示し、他の３枚のシート材３については図示を省略している。さらに、図６では図示されていないが、天板６の上面に設置された４つのガイド部材２０は、底板５の下面にも同様に設置されている。また、図６及び図９では図３（ｂ）に示した受具１２について、細部の図示を省略し、図７では軸具１１の図示を省略している。
図６に示すように、本実施例の間仕切り１ｂは実施例１の間仕切り１ａにおいて、本体２及び枠体４をステンレス製とし、梁体９を天板６に受具１２を用いて係止する代わりに、軸具（図示せず）を介して梁体９を回動自在に天板６に取り付けるとともに、連結板１７、連結具１８及び保持具２１を用いて柱体１０を梁体９に連結する構造となっている。さらに、底板５上面の各角部の近傍にそれぞれ立設される計４本の支持体７と、梁体８の下面側に取り付けられた支持板１９と、梁体８，９にそれぞれ内蔵される差込具１６とを備え、梁体８，９の端部から突出された差込具１６は、底板５の下面側及び天板６の上面側にそれぞれ設けられた筒状のガイド部材２０に内挿することを特徴としている。なお、本実施例の間仕切り１ｂにおいては、取付具１５ａがシート材３の柱体１０に巻き付ける側の端部近傍に取り付けられ、取付具１５ｂが柱体１０の背面に取り付けられている。従って、梁体８，９に沿って引き出されたシート材３の端部は矢印Ｇで示すように柱体１０に巻き付けられた後、柱体１０から外れることがないように取付具１５ａ，１５ｂによって固定される。なお、図示していないが、取付具１５ａ，１５ｂは、４枚のシート材３及び４本の柱体１０の全てにそれぞれ取り付けられており、芯材１３から引き出された４枚のシート材３は、取付具１５ａ，１５ｂによって４つの柱体１０にそれぞれ係着可能となっている。また、４枚のシート材３の先端部は実施例１と同様に袋状になっており、それぞれシート材３の幅と略等しい長さのアクリル板（厚さ３ｍｍ、幅２５ｍｍ）を内蔵している。さらに、図示していないが、支持板１９は全ての梁体８の下面側に取り付けられている。
【００３４】
図７（ａ）に示すように、梁体９は差込具１６を内蔵可能な角筒状部材であり、側面の一部には開口部９ａが設けられている。また、梁体９の内部には差込具１６の位置を固定するための固定ピン９ｂが設置されている。そして、梁体９を天板６に対して平行となる位置まで回動した場合、梁体９の中空部は天板６の上面側に設置されたガイド部材２０の中空部に連通するように構成されている。
図７（ｂ）に示すように、差込具１６は略角柱状をなしており、指を入れてつかむための開口部１６ｃが設けられた把持部１６ａと側面視波形状の板バネ１６ｂがその一端から延設された構造となっている。なお、板バネ１６ｂには、長手方向に所望の間隔を空けて２つの窪み１６ｄ，１６ｅが形成されている。
図７（ｃ）及び（ｄ）に示すように、差込具１６は梁体９の内部で長手方向に摺動可能であり、本実施例の間仕切り１ｂにおいては板バネ１６ｂの窪み１６ｄが固定ピン９ｂの位置にある場合は、差込具１６が梁体９の端部から突出せず、板バネ１６ｂの窪み１６ｅが固定ピン９ｂの位置にある場合には、差込具１６が梁体９の端部から突出して天板６に設置されたガイド部材２０に内挿するように構成されている。この場合、ガイド部材２０に内挿した差込具１６は、組み付け誤差等に起因する梁体９と天板６との間のガタツキを小さくするとともに、両者間の剛性を高めるように作用する。また、固定ピン９ｂは板バネ１６ｂの窪み１６ｄ，１６ｅに係止して、差込具１６が不用意に移動しないように、その位置を保持するという作用を有する。なお、開口部１６ｃに指を入れて把持部１６ａをつかんで操作すれば、板バネ１６ｂを弾性変形させて窪み１６ｄ，１６ｅを固定ピン９ｂから容易に外すことが可能である。また、底板５に連結された梁体８にも差込具１６が内蔵されており、上記と同様の操作によって梁体８の端部から突出された差込具１６は、底板５の下面側に設置されたガイド部材２０に内挿するように構成されている。
【００３５】
図８（ａ）に示すように、柱体１０は内部に連結具１８を設置可能な角筒状部材であり、その側面の一部には開口部１０ａが設けられている。また、柱体１０の梁体９に連結される側の端部には、梁体９の端部に取り付けられた連結板１７の一部を保持する側面視コの字状の保持具２１が設置されており、保持具２１の近傍の柱体１０の内部には、案内板２２が設置されている。さらに、柱体１０の開口部１０ａと対向する側面１０ｂには連結具１８の位置を固定するための固定ピン１０ｃが立設されている。そして、連結板１７、保持具２１及び案内板２２には連結具１８の先端部を挿通可能な貫通孔１７ａ，２１ａ（図８（ｃ）参照），２１ｂ及び２２ａがそれぞれ形成されている。
図８（ｂ）に示すように、連結具１８はピン状の連結具本体１８ａと、連結具本体１８ａに取り付けられた案内板１８ｂと、連結具本体１８ａの後端から延設される把持部１８ｃとから構成されており、把持部１８ｃには固定ピン１０ｃが挿通される貫通孔１８ｄが形成されている。
図８（ｃ）に示すように、連結具１８は柱体１０の内部に摺動可能に設置され、案内板１８ｂがコイルバネ２３を介して案内板２２に接続されている。そして、把持部１８ｃの貫通孔１８ｄに固定ピン１０ｃが挿通されている場合には、コイルバネ２３は引き伸ばされた状態で固定され、連結具１８の先端は柱体１０の端部から突出しない。これに対し、把持部１８ｃの貫通孔１８ｄよりも後方の部分をつかんで貫通孔１８ｄを固定ピン１０ｃから外すとともに、把持部１８ｃをつかんでいる手を放すと、コイルバネ２３の収縮に伴って、案内板１８ｂが案内板２２に向かって引っ張られる。このとき、案内板１８ｂ及び案内板２２は連結具本体１８ａが柱体１０の内壁面と平行を保って摺動するように案内するという作用を有する。そして、矢印Ｈの向きに移動した連結具１８の先端部は保持具２１の貫通孔２１ａから突出して連結板１７の貫通孔１７ａ及び保持具２１の貫通孔２１ｂに挿通する。これにより、柱体１０は梁体９に連結されることになる。なお、把持部１８ｃをつかんで連結具１８を矢印Ｈと逆向きに移動させるとともに、貫通孔１８ｄに固定ピン１０ｃを挿通させることによれば、柱体１０と梁体９との連結は容易に解除される。
【００３６】
次に、間仕切り１ｂの撤去作業について説明する。
まず、図６に示す間仕切り１ｂにおいて、シート材３を芯材１３に巻き取り、ガイド部材２０に内挿した差込具１６を梁体８及び梁体９側に引き戻し、連結具１８を操作して梁体９と柱体１０との連結を解除する。次に、柱体１０を矢印Ｅの向きに略９０度回動させ、梁体９を矢印Ｉの向きに略９０度回動させる。さらに、梁体８及び柱体１０，１０を一体として矢印Ｆの向きに略９０度回動させるとともに、その端部を受具１２によって天板６に固定する。この作業を４組の枠体４について行うと、図９に示した状態となる。このとき、本体２内部に収納されたシート材３は、周囲を梁体８，９及び柱体１０からなる４組の枠体４によって覆われることになるため、保管時や運搬時において外部から衝撃等を受けて破損するおそれがない。また、支持板１９はその上面を柱体１０及び梁体９の外面に当接させて、柱体１０及び梁体９の勝手な回動を防ぐように作用する。従って、本実施例の間仕切り１ｂでは実施例１の場合と異なり、ベルトや紐等を用いて４組の枠体４を外側から縛り付ける必要がない。
【００３７】
このような構造の間仕切り１ｂにおいては、梁体８と柱体１０と梁体９と支持体７が各辺を構成する四角形の内側の領域をシート材３が遮蔽するという作用を有する。また、シート材３を引き出す際に干渉しないように支持体７が底板５及び天板６の四隅にそれぞれ配置されているため、シート材３を設置及び収納する際の作業性が良い。さらに、梁体８を底板５と平行に展開した場合に支持板１９がその下面を床面に当接させて、梁体８の幅方向に対する間仕切り１ｂのぐらつきを抑えるという作用を有する。
【００３８】
以上説明したように、本実施例の間仕切り１ｂにおいては、設置や撤去及び運搬が容易である。また、梁体８と底板５及び梁体９と天板６との間のガタツキが抑えられるため、設置姿勢を安定させることが可能である。さらに、梁体８や梁体９が底板５及び梁体９から不用意に外れるおそれがなく、安全性が高い。加えて、梁体９と柱体１０との連結作業及び分解作業を容易に行うことができる。
【００３９】
なお、本実施例においては、連結板１７及び連結具１８によって柱体１０を梁体９に連結する構造としているが、これに限定されるものではなく、例えば、連結板１７及び連結具１８によって柱体１０を梁体８に連結する構造としても良い。また、受具１２を用いる代わりに、紐やベルト等を用いて枠体４を外面から縛りつけて拘束しても良い。この場合、本体２の上下面がともに平坦な形状となるため、保管時に他の間仕切りと干渉するおそれがない。従って、保管スペースを節約することが可能である。
【産業上の利用可能性】
【００４０】
以上説明したように、請求項１乃至請求項８に記載された発明は、災害時の避難先等で使用する場合に限らず、例えば、飲食店等の柱に予め内蔵させて必要に応じて複数の小部屋に仕切るような場合にも適用可能である。
【図面の簡単な説明】
【００４１】
【図１】本発明の実施の形態に係る間仕切りの実施例１の一部を省略して示す外観斜視図である。
【図２】（ａ）及び（ｂ）はシート材が芯材から完全に引き出された状態及びシート材が芯材に巻き付けられた状態をそれぞれ示す模式図である。
【図３】（ａ）及び（ｂ）はそれぞれ固定具及び受具の斜視図である。
【図４】図１においてシート材を芯材に巻き取った状態を示す外観斜視図である。
【図５】図４において枠体を折り畳んで収納した状態を示す外観斜視図である。
【図６】本発明の実施の形態に係る間仕切りの実施例２の一部を省略して示す外観斜視図である。
【図７】（ａ）及び（ｂ）はそれぞれ梁体及び差込具の斜視図であり、（ｃ）及び（ｄ）は梁体及びそれに内蔵された差込具を示す平面図である。
【図８】（ａ）は梁体との接続端部近傍を拡大して示した柱体の斜視図であり、（ｂ）は連結具の斜視図であり、（ｃ）は柱体及びそれに内蔵された連結具を示す平面図である。
【図９】は図６において枠体を折り畳んで収納した状態を示す外観斜視図である。
【符号の説明】
【００４２】
１ａ，１ｂ…間仕切り  ２…本体  ３…シート材  ３ａ…基端  ４…枠体  ５…底板  ６…天板  ７…支持体  ８，９…梁体  ９ａ…開口部  ９ｂ…固定ピン  １０…柱体  １０ａ…開口部  １０ｂ…側面  １０ｃ…固定ピン  １１…軸具  １２…受具  １２ａ…受具本体  １２ｂ…アーム部  １２ｃ…フック  １３…芯材  １４…固定具  １５ａ，１５ｂ…取付具  １６…差込具  １６ａ…把持部  １６ｂ…板バネ  １６ｃ…開口部  １６ｄ，１６ｅ…窪み  １７…連結板  １７ａ…貫通孔  １８…連結具  １８ａ…連結具本体  １８ｂ…案内板  １８ｃ…把持部  １８ｄ…貫通孔  １９…支持板  ２０…ガイド部材  ２１…保持具  ２１ａ，２１ｂ…貫通孔  ２２…案内板  ２２ａ…貫通孔  ２３…コイルバネ  Ａ〜I…矢印
【図１】
2008169652.tif 000003
【図２】
2008169652.tif 000004
【図３】
2008169652.tif 000005
【図４】
2008169652.tif 000006
【図５】
2008169652.tif 000007
【図６】
2008169652.tif 000008
【図７】
2008169652.tif 000009
【図８】
2008169652.tif 000010
【図９】
2008169652.tif 000011